(57)【要約】【課題】速度調整機能を有したコンデンサ電動機に関するもので、渡り線の処理を簡略化することを目的とするものである。【解決手段】主速調巻線巻装体２０ａは、環状に配列して主速調巻線巻装体配列群２０ｂを形成し、同様に、補助速調巻線巻装体２２ａは、環状に配列して補助速調巻線巻装体配列群２２ｂを形成する。そして、この主速調巻線巻装体配列群２０ｂと補助速調巻線巻装体配列群２２ｂを、主速調巻線巻装体２０ａ、補助速調巻線巻装体２２ａが交互に環状に配列するように、各々反渡り線側を軸方向に対向させて組み合わせ固着一体化することで、渡り線の処理を簡略化することができる。【選択図】図７
2012235572.tif 000002
【特許請求の範囲】
【請求項１】
分割し積層された固定子鉄心と回転子を有し、
前記固定子鉄心は、絶縁体を装着した上に主巻線を集中巻で主渡り線を介し極数個連続的に直巻巻装し、前記主巻線の巻き始めと巻き終りの口出し線をピン端子に絡げ、速度調整用の巻線タップとなる主速調巻線を、前記主巻線の上に集中巻で主速調渡り線を介し極数個連続的に直巻巻装し、前記主速調巻線の巻き始めと巻き終りの口出し線をピン端子に絡げた主速調巻線巻装体と、
前記固定子鉄心に絶縁体を装着した上に補助巻線を集中巻で補助渡り線を介して極数個連続的に直巻巻装し、前記補助巻線の巻き始めと巻き終りの口出し線をピン端子に絡げ、速度調整用の巻線タップとなる補助速調巻線を、前記補助巻線の上に集中巻で補助速調渡り線を介し極数個連続的に直巻巻装し、前記補助速調巻線の巻き始めと巻き終りの口出し線をピン端子に絡げた補助速調巻線巻装体とからなり、
前記主速調巻線巻装体を環状に配列した主速調巻線巻装体配列群と、前記補助速調巻線巻装体を環状に配列した補助速調巻線巻装体配列群とが交互に環状に配列し、各々反渡り線側を軸方向に対向させて組み合わせ固着一体化するコンデンサ電動機。
【請求項２】
前記速度調整用の巻線タップを主速調巻線巻装体と補助速調巻線巻装体とで同数とした請求項１記載のコンデンサ電動機。
【請求項３】
前記渡り線は、絶縁体の内周側の端部が周方向に大きく延長された延出部の保持機構に保持された請求項１または請求項２記載のコンデンサ電動機。
【請求項４】
前記絶縁体の保持機構は、各巻装体の複数の渡り線をそれぞれ接触しないように複数個設けて保持した請求項３記載のコンデンサ電動機。
【請求項５】
請求項１〜４いずれかに記載のコンデンサ電動機を搭載した送風機。
【発明の詳細な説明】
【技術分野】
【０００１】
本発明は分割し積層された固定子鉄心を組み合わせ一体化してなる速度調整機能を有したコンデンサ電動機の固定子に関する。
【背景技術】
【０００２】
従来、この種のコンデンサ電動機の固定子においては、複数に分割した分割鉄心体に巻線を施工し分割鉄心体を環状に配列してなる一体化する固定子が知られている（例えば特許文献１参照）。
【０００３】
以下、そのコンデンサ電動機の固定子について、図１１〜図１３を参照しながら説明する。  図１１に示すように、主巻線１０１は環状に保持された極数個の分割鉄心体１０２の各々に絶縁体１０３を装着後に主渡り線側の渡り線１０４Ａを介して連続的に巻回されて主巻線巻装体１０５が形成され、同様に補助巻線１０６も環状に保持された極数個の分割鉄心体１０２の各々に絶縁体１０３を装着後に補助渡り線側の渡り線１０４Ｂを介して連続的に巻回されて補助巻線巻装体１０７が形成され、前記主巻線巻装体１０５と補助巻線巻装体１０７を軸方向に移動させ組立し固定子１０８を構成していた。
【０００４】
また、図１２〜図１３に示すように、巻線タップによる速度調整は、補助巻線１０６に速調巻線Ａ１０９と速調巻線Ｂ１１０というように直列に結線し、数段切り替えとしていた。
【先行技術文献】
【特許文献】
【０００５】
【特許文献１】特開２０００―３５８３４６号公報
【発明の概要】
【発明が解決しようとする課題】
【０００６】
このような従来の固定子における巻線タップによる数段切り替えの速度調整機能は補助巻線巻装体側より巻線タップを全て出しているため、補助巻線巻装体側のみ渡り線が多くなり、その処理するための構造が複雑になるという課題があった。
【０００７】
本発明は、このような従来の課題を解決するものであり、速度調整用の巻線タップを有する主巻線巻装体と補助巻線巻装体の組み合わせる固定子において、渡り線の処理を簡略化することができ、更に補助巻線巻装体側の巻装時間を短縮することができるコンデンサ電動機の固定子を提供することを目的としている。
【課題を解決するための手段】
【０００８】
本発明のコンデンサ電動機の固定子は上記目的を達成するために、分割し積層された固定子鉄心と回転子を有し、前記固定子鉄心は、絶縁体を装着した上に主巻線を集中巻で主渡り線を介し極数個連続的に直巻巻装し、前記主巻線の巻き始めと巻き終りの口出し線をピン端子に絡げ、速度調整用の巻線タップとなる主速調巻線を、前記主巻線の上に集中巻で主速調渡り線を介し極数個連続的に直巻巻装し、前記主速調巻線の巻き始めと巻き終りの口出し線をピン端子に絡げた主速調巻線巻装体と、
前記固定子鉄心に絶縁体を装着した上に補助巻線を集中巻で補助渡り線を介して極数個連続的に直巻巻装し、前記補助巻線の巻き始めと巻き終りの口出し線をピン端子に絡げ、速度調整用の巻線タップとなる補助速調巻線を、前記補助巻線の上に集中巻で補助速調渡り線を介し極数個連続的に直巻巻装し、前記補助速調巻線の巻き始めと巻き終りの口出し線をピン端子に絡げた補助速調巻線巻装体とからなり、
前記主速調巻線巻装体を環状に配列した主速調巻線巻装体配列群と、前記補助速調巻線巻装体を環状に配列した補助速調巻線巻装体配列群とが交互に環状に配列し、各々反渡り線側を軸方向に対向させて組み合わせ固着一体化したものである。これにより、所期の目的を達成するものである。
【発明の効果】
【０００９】
以上のように本発明のコンデンサ電動機の固定子は、分割し積層された固定子鉄心と回転子を有し、前記固定子鉄心は、絶縁体を装着した上に主巻線を集中巻で主渡り線を介し極数個連続的に直巻巻装し、前記主巻線の巻き始めと巻き終りの口出し線をピン端子に絡げ、速度調整用の巻線タップとなる主速調巻線を、前記主巻線の上に集中巻で主速調渡り線を介し極数個連続的に直巻巻装し、前記主速調巻線の巻き始めと巻き終りの口出し線をピン端子に絡げた主速調巻線巻装体と、
前記固定子鉄心に絶縁体を装着した上に補助巻線を集中巻で補助渡り線を介して極数個連続的に直巻巻装し、前記補助巻線の巻き始めと巻き終りの口出し線をピン端子に絡げ、速度調整用の巻線タップとなる補助速調巻線を、前記補助巻線の上に集中巻で補助速調渡り線を介し極数個連続的に直巻巻装し、前記補助速調巻線の巻き始めと巻き終りの口出し線をピン端子に絡げた補助速調巻線巻装体とからなり、
前記主速調巻線巻装体を環状に配列した主速調巻線巻装体配列群と、前記補助速調巻線巻装体を環状に配列した補助速調巻線巻装体配列群とが交互に環状に配列し、各々反渡り線側を軸方向に対向させて組み合わせ固着一体化したものであるので、渡り線の処理を簡略化することができる。すなわち、本発明においては、速度調整用の巻線タップにより増加した渡り線を主速調巻線巻装体と補助速調巻線巻装体とに分けることにより、渡り線の処理を簡略化ができる。また、補助速調巻線巻装体の巻装時間を短縮でき、主速調巻線巻装体と補助速調巻線巻装体との巻装タクトを近づけることができるため工程の効率化が図られる。
【図面の簡単な説明】
【００１０】
【図１】本発明の実施の形態１のコンデンサ電動機の断面図
【図２】同コンデンサ電動機の固定子鉄心の分割状態を示す正面図
【図３】同コンデンサ電動機の固定子鉄心の斜視図
【図４】同コンデンサ電動機の固定子の正面図
【図５】同コンデンサ電動機の固定子の主速調巻線巻装体の斜視図
【図６】同コンデンサ電動機の固定子の補助速調巻線巻装体の斜視図
【図７】同コンデンサ電動機の固定子の主速調巻線巻装体配列群と補助速調巻線巻装体配列群の合体を示す斜視図
【図８】同コンデンサ電動機の速度調整を示す結線図
【図９】本発明の実施の形態２のコンデンサ電動機の絶縁体の斜視図
【図１０】同絶縁体の渡り線をそれぞれ分離した保持機構の状態を示す斜視図
【図１１】従来のコンデンサ電動機の固定子の正面図
【図１２】同コンデンサ電動機の速度調整の結線図
【図１３】同コンデンサ電動機の固定子の補助巻線巻装体の斜視図
【発明を実施するための形態】
【００１１】
（実施の形態１）
以下、本発明の第１の実施形態を、添付図面を用いて説明する。図１は本実施形態のコンデンサ電動機１を示したものであり、回転軸２と、この回転軸２の外周に一体化した回転子３と、この回転子３の外周に、この回転子３とは非接触状態で近接配置された固定子５と、前記回転軸２の回転子３の両側部分に配置した軸受６、軸受７と、前記固定子５と前記軸受６、軸受７を保持したハウジング８を備えた構成となっている。
【００１２】
ここで、４極のコンデンサ電動機の固定子５をスロット９の数と同数に分割した場合について詳細に説明する。コンデンサ電動機の固定子５は、図２〜図７に示すように、スロット９の数と同数に分割し積層された固定子鉄心１０と、前記固定子鉄心１０を絶縁する絶縁体１１と、前記絶縁体１１の端部に巻線の巻始めと巻終わりの口出し線３２を絡げるピン端子３３とを有している。そして、固定子５は、主速調巻線巻装体２０ａと補助速調巻線巻装体２２ａとからなる。主速調巻線巻装体２０ａは、固定子鉄心１０に絶縁体１１を装着した上に主巻線１２を集中巻で主渡り線１３ａを介し４極連続的に直巻巻装し、主速調巻線１８を、主巻線１２の上に集中巻で主速調渡り線１９ａを介し４極連続的に直巻巻装したものである。主巻線１２の巻き始めと巻き終りの口出し線３２は、ピン端子３３に絡げてある。主速調巻線１８は、速度調整用の巻線タップとなり、その巻き始めと巻き終りの口出し線３２をピン端子３３に絡げてある。
【００１３】
補助速調巻線巻装体２２ａは、固定子鉄心１０に絶縁体１１を装着した上に補助巻線１５を集中巻で補助渡り線１３ｂを介して４極連続的に直巻巻装し、補助速調巻線２１を、補助巻線１５の上に集中巻で補助速調渡り線１９ｂを介し４極連続的に直巻巻装したものである。補助巻線１５の巻き始めと巻き終りの口出し線３２は、ピン端子３３に絡げてある。補助速調巻線２１は、速度調整用の巻線タップとなり、その巻き始めと巻き終りの口出し線３２をピン端子３３に絡げてある。
【００１４】
４極の主速調巻線巻装体２０ａは、環状に配列して主速調巻線巻装体配列群２０ｂを形成する。同様に、４極の前記補助速調巻線巻装体２２ａは、環状に配列して補助速調巻線巻装体配列群２２ｂを形成する。そして、この主速調巻線巻装体配列群２０ｂと補助速調巻線巻装体配列群２２ｂを、主速調巻線巻装体２０ａ、補助速調巻線巻装体２２ａが交互に環状に配列するように、各々反渡り線側を軸方向に対向させて組み合わせ固着一体化してなる。
【００１５】
次に、速度調整用の巻線タップについて説明する。図８に３段の速度調整を有した４極のコンデンサ電動機の結線図を示す。補助巻線１５は、直列にコンデンサ２３を接続し、一方を主巻線１２と電源２４に接続している。主巻線１２と主速調巻線１８からは、強運転タップ２５を口出し線として出している。主速調巻線１８と補助速調巻線２１からは、中運転タップ２６を口出し線として出している。さらに、補助速調巻線２１と補助巻線１５からは、弱運転タップ２７を口出し線として出している。そして、電源２４の一方を強運転タップ２５に接続するとコンデンサ電動機のノッチは強運転となり、同様に、中運転タップ２６に接続すると中運転、弱運転タップ２７に接続すると弱運転となる。すなわち、主速調巻線巻装体２０ａの渡り線は主渡り線１３ａおよび主速調渡り線１９ａの２本となり（図５）、補助速調巻線巻装体２２ａの渡り線は補助渡り線１３ｂおよび補助速調渡り線１９ｂの２本となる（図６）。このように、渡り線が補助速調巻線巻装体配列群２２ｂに偏っていることなく、主速調巻線巻装体２０ａの渡り線側と補助速調巻線巻装体２２ａの渡り線側に分かれているため、渡り線の数量が減り、渡り線を処理するための構造が簡素化できる。従って、コンデンサ電動機１の組立時における作業性および品質が向上することになる。なお、本実施の形態では、４極のコンデンサ電動機の固定子としたが、２極および６極のコンデンサ電動機の固定子でもその作用・効果に差異はない。
【００１６】
また、主速調巻線巻装体２０ａと補助速調巻線巻装体２２ａは各々の巻線機（図示しない）において巻装し組み合わせて固着一体化するため、巻線タップを主速調巻線巻装体２０ａと補助速調巻線巻装体２２ａとで同数とすることで、主速調巻線巻装体２０ａと補助速調巻線巻装体２２ａの巻装工数を同等にすることができる。つまり巻装タクトを近づけることで、工程の効率化が図られる。
【００１７】
（実施の形態２）
本発明の第２の実施形態について、図９〜図１０を参照しながら説明する。
【００１８】
図９〜図１０に示すように、本実施の形態の固定子鉄心１０に装着する絶縁体２８は、内周側の端部が周方向に大きく延長された延出部２９を有し、この延出部２９に渡り線３０を保持する保持機構３１を設けたものである。
【００１９】
このような構成によれば、主速調巻線巻装体配列群２０ｂと補助速調巻線巻装体配列群２２ｂとを交互に環状に配列し、各々反渡り線側を軸方向に組み合わせ固着一体化する際に、渡り線３０を絶縁体２８の保持機構３１に保持する。そのため、治具などで渡り線３０を保持する必要がなく、組み合わせが容易となり品質の向上が図れる。
【００２０】
また、速度調整用の巻線タップが複数本あるコンデンサ電動機において、巻線タップを主速調巻線巻装体配列群２０ｂと補助速調巻線巻装体配列群２２ｂに分けることにより、渡り線は、補助速調巻線巻装体２２ａに偏らず、主速調巻線巻装体２０ａと補助速調巻線巻装体２２ａに分かれている。そのため、補助速調巻線巻装体２２ａの渡り線を減らすことで、補助速調巻線巻装体２２ａの延出部２９の保持機構３１を小さいスペースで渡り線分を設けることが容易になる。よって、複数の保持機構３１により、渡り線３０と速調渡り線３４を各々保持することで、接触しないように保持することができ、接触による巻線皮膜のダメージなどの電気的な不具合を防止でき、品質の向上が図れる。更に、保持機構３１を簡単な構造にできるため、絶縁体２８を小さくすることで、コンデンサ電動機の小型化が可能となる。
【産業上の利用可能性】
【００２１】
以上のように本発明のコンデンサ電動機の固定子は、分割し積層された固定子鉄心と回転子を有し、前記固定子鉄心は、絶縁体を装着した上に主巻線を集中巻で主渡り線を介し極数個連続的に直巻巻装し、前記主巻線の巻き始めと巻き終りの口出し線をピン端子に絡げ、速度調整用の巻線タップとなる主速調巻線を、前記主巻線に集中巻で主速調渡り線を介し極数個連続的に直巻巻装し、前記主速調巻線の巻き始めと巻き終りの口出し線をピン端子に絡げた主速調巻線巻装体と、
前記固定子鉄心に絶縁体を装着した上に補助巻線を集中巻で補助渡り線を介して極数個連続的に直巻巻装し、前記補助巻線の巻き始めと巻き終りの口出し線をピン端子に絡げ、速度調整用の巻線タップとなる補助速調巻線を、前記補助巻線巻装体に集中巻で補助速調渡り線を介し極数個連続的に直巻巻装し、前記補助速調巻線の巻き始めと巻き終りの口出し線をピン端子に絡げた補助速調巻線巻装体とからなり、
前記主速調巻線巻装体を環状に配列した主速調巻線巻装体配列群と、前記補助速調巻線巻装体を環状に配列した補助速調巻線巻装体配列群とが交互に環状に配列し、各々反渡り線側を軸方向に対向させて組み合わせ固着一体化してなる固定子において、速度調整用の巻線タップにより増加した渡り線を主速調巻線巻装体と補助速調巻線巻装体とに分けることにより、渡り線の処理を簡略化ができる。また、補助速調巻線巻装体の巻線時間を短縮でき、主速調巻線巻装体と補助速調巻線巻装体との巻装タクトを近づけることができるため工程の効率化が図られる。従って、このコンデンサ電動機を用いる送風機などの各種電気機器に広く活用されるものとなる。
【符号の説明】
【００２２】
１      コンデンサ電動機
２      回転軸
３      回転子
５      固定子
６      軸受
７      軸受
８      ハウジング
９      スロット
１０    固定子鉄心
１１    絶縁体
１２    主巻線
１３ａ  主渡り線
１３ｂ  補助渡り線
１５    補助巻線
１８    主速調巻線
１９ａ  主速調渡り線
１９ｂ  補助速調渡り線
２０ａ  主速調巻線巻装体
２０ｂ  主速調巻線巻装体配列群
２１    補助速調巻線
２２ａ  補助速調巻線巻装体
２２ｂ  補助速調巻線巻装体配列群
２３    コンデンサ
２４    電源
２５    強運転タップ
２６    中運転タップ
２７    弱運転タップ
２８    絶縁体
２９    延出部
３０    渡り線
３１    保持機構
３２    口出し線
３３    ピン端子
３４    速調渡り線
【図１】
2012235572.tif 000003
【図２】
2012235572.tif 000004
【図３】
2012235572.tif 000005
【図４】
2012235572.tif 000006
【図５】
2012235572.tif 000007
【図６】
2012235572.tif 000008
【図７】
2012235572.tif 000009
【図８】
2012235572.tif 000010
【図９】
2012235572.tif 000011
【図１０】
2012235572.tif 000012
【図１１】
2012235572.tif 000013
【図１２】
2012235572.tif 000014
【図１３】
2012235572.tif 000015